(57)【要約】【課題】パララックスを簡単に補正できる複合カメラを提供する。【解決手段】被写体像を写真フイルム４２に結像させる写真用撮影レンズ１４と、被写体像をＣＣＤ５２の受光面に結像させるＣＣＤ用撮影レンズ１６とを備え、撮影距離に応じてＣＣＤ５２が上下動し、パララックスを自動補正する。これにより、写真フイルム４２に結像される被写体像とＣＣＤ５２の受光面に結像される被写体像とが常に一致する。【選択図】  図３
2004163711.tif 000002
【特許請求の範囲】
【請求項１】
被写体像を写真フイルムに結像させる第１光学系と、
前記第１光学系に連動してピント調節が行なわれ、前記第１光学系と同じ画角の被写体像を撮像素子の受光面に結像させる第２光学系と、
前記撮像素子によって光電変換された被写体像を示す画像信号に基づいて被写体像を表示する画像表示手段と、
前記撮像素子を前記第２光学系の光軸と直交する面に沿って移動させる移動手段と、
被写体までの距離を検出する距離検出手段と、
前記距離検出手段によって検出された被写体までの距離に基づいて前記移動手段による前記撮像素子の移動量を制御することにより、前記第１光学系と前記第２光学系とのパララックスを補正する制御手段と、
を備えたことを特徴とする複合カメラ。
【請求項２】
前記第１光学系と前記第２光学系は、縦長の四角い箱状に形成されたカメラボディの前面に上下に並べて配置され、前記移動手段は、前記撮像素子を上下方向に移動させてパララックスを補正することを特徴とする請求項１に記載の複合カメラ。
【請求項３】
前記画像表示手段は、前記カメラボディの上面に配置されることを特徴とする請求項２に記載の複合カメラ。
【発明の詳細な説明】
【０００１】
【発明の属する技術分野】
本発明は複合カメラに係り、特に被写体像を写真フイルムに露光させる銀塩カメラと、被写体像を電子画像として取り込むことができるデジタルスチルカメラとが一体化された複合カメラに関する。
【０００２】
【従来の技術】
被写体像を電子画像として取り込むことができるデジタルカメラは、撮影した画像をすぐに確認できたり、撮影した画像をパソコン等に取り込むことで容易に加工、編集したりすることができることから、近年急速に普及している。
【０００３】
その一方でデジタルカメラは、銀塩カメラと比べると画質的にやや劣るところがある。そして、この画質を上げるべく、ＣＣＤ等の撮像素子を大型化したり、高画素化したりすると、高価なものになってしまうという欠点がある。
【０００４】
そこで、このデジタルカメラと銀塩カメラの利点を有効に活用すべく、デジタルカメラと銀塩カメラを一体化した複合カメラが提案されている。
【０００５】
この複合カメラには、撮影光学系にハーフミラーを設置して、被写体像の一方を写真フイルムに導き、他方を撮像素子の受光面に導く一眼タイプのもの（たとえば、特許文献１、２等）と、被写体像を写真フイルムに結像させる光学系と、撮像素子の受光面に結像させる光学系とが別に設けられた二眼タイプのもの（たとえば、特許文献３、４等）とがある。
【０００６】
しかし、一眼タイプの複合カメラは、光束をハーフミラーで二分割することから、二眼タイプの複合カメラに比べて撮像素子と写真フイルムに入射する光量が少なくなるという問題がある。
【０００７】
一方、二眼タイプの複合カメラは、写真フイルムに被写体像を導く光学系と、撮像素子に被写体像を導く光学系とが分離されているため、両光学系の間にパララックスが発生するという問題がある。
【０００８】
このため、特許文献３及び４の複合カメラでは、写真フイルムに写し込まれる画像の領域と液晶モニタに表示される画像の領域とが一致するように、被写体距離に応じてＣＣＤによって撮像された画像の読み出し領域を変更してパララックスを補正するようにしている。
【０００９】
【特許文献１】
特開平９−２７４２４３号公報
【００１０】
【特許文献２】
特開平１１−３２７０３１号公報
【００１１】
【特許文献３】
特開平９−２６９５４５号公報
【００１２】
【特許文献４】
特開平９−３１１３７８号公報）
【００１３】
【発明が解決しようとする課題】
しかしながら、上記従来のように、パララックスを補正するために、被写体距離に応じてＣＣＤによって撮像された画像の読み出し領域を設定する方式では、画像の読み出し制御等が複雑になるという問題がある。
【００１４】
また、全画素の一部のみを使用する構成となるため、ＣＣＤを有効に利用することができないという欠点もある。
【００１５】
本発明はこのような事情に鑑みてなされたもので、パララックスを簡単に補正できる複合カメラを提供することを目的とする。
【００１６】
【課題を解決する為の手段】
請求項１に係る発明は、前記目的を達成するために、被写体像を写真フイルムに結像させる第１光学系と、前記第１光学系に連動してピント調節が行なわれ、前記第１光学系と同じ画角の被写体像を撮像素子の受光面に結像させる第２光学系と、前記撮像素子によって光電変換された被写体像を示す画像信号に基づいて被写体像を表示する画像表示手段と、前記撮像素子を前記第２光学系の光軸と直交する面に沿って移動させる移動手段と、被写体までの距離を検出する距離検出手段と、前記距離検出手段によって検出された被写体までの距離に基づいて前記移動手段による前記撮像素子の移動量を制御することにより、前記第１光学系と前記第２光学系とのパララックスを補正する制御手段と、を備えたことを特徴とする複合カメラを提供する。
【００１７】
また、請求項２に係る発明は、前記目的を達成するために、前記第１光学系と前記第２光学系は、縦長の四角い箱状に形成されたカメラボディの前面に上下に並べて配置され、前記移動手段は、前記撮像素子を上下方向に移動させてパララックスを補正することを特徴とする請求項１に記載の複合カメラを提供する。
【００１８】
また、請求項３は、前記目的を達成するために、前記画像表示手段は、前記カメラボディの上面に配置されることを特徴とする請求項２に記載の複合カメラを提供する。
【００１９】
本発明によれば、被写体までの距離に基づいて撮像素子を移動させることにより、第１光学系と第２光学系とのパララックスを補正する。これにより、写真フイルムに結像される被写体像と撮像素子の受光面に結像される被写体像とが常に一致する。
【００２０】
【発明の実施の形態】
以下、添付図面に従って本発明に係る複合カメラの好ましい実施の形態について説明する。
【００２１】
図１、図２は、それぞれ本発明に係る複合カメラの一実施形態を示す正面斜視図と背面斜視図である。
【００２２】
図１に示すように、カメラボディ１２は、縦長の四角い箱状に形成されている。このカメラボディ１２の前面には、フイルム用撮影レンズ１４と固体撮像素子用撮影レンズ（ＣＣＤ用撮影レンズ）１６とが上下に並べて配置されており、その右下隅にはレリーズボタン１８が配置されている。
【００２３】
カメラボディ１２の側面には、フォーカスノブ２０が配置されており、フイルム用撮影レンズ１４とＣＣＤ用撮影レンズ１６は、このフォーカスノブ２０を回動操作することにより、ピント調節が行なわれる。
【００２４】
カメラボディ１２の上面には、図１及び図２に示すように、液晶モニタ２２が配置されている。この液晶モニタ２２は、撮影時に画角確認用の電子ファインダとして使用されるとともに、撮影した電子画像の再生用モニタとして使用され、その上部には折り畳み式のファインダーフード２４が取り付けられている。撮影者は、このファインダーフード２４の上部から覗き込むようにして、液晶モニタ２２の表示を確認する。
【００２５】
カメラボディ１２の背面には、図２に示すように、裏蓋２６が設けられており、側面にはフイルム巻き上げレバー２８が設けられている。この裏蓋２６で覆われるカメラボディ１２の背面には、図示しないアパーチャを挟んで上下にスプール室が形成されており、このスプール室に写真フイルムが装填される。また、この裏蓋２６で覆われるカメラボディ１２の背面には、図示しないカードスロットが形成されており、このカードスロットにメモリカードが装填される。
【００２６】
裏蓋２６には、電源ボタン３０の他、モードダイヤル３２、十字ボタン３４、メニュー／ＯＫボタン３６、バックボタン３８等の操作ボタン類が設けられている。モードダイヤル３２は、複合カメラ１０のモードを設定するダイヤルであり、このモードダイヤル３２を回動操作することにより、複合カメラ１０のモードが、▲１▼写真撮影モード、▲２▼デジタル撮影モード、▲３▼複合撮影モード、▲４▼再生モードのいずれかに設定される。
【００２７】
ここで、「写真撮影モード」は、写真撮影のみを行なうモードであり、「デジタル撮影モード」は、デジタル撮影のみを行なうモードである。また、「複合撮影モード」は、写真撮影とデジタル撮影の両方を同時に行なうモードであり、「再生モード」は、デジタル撮影された画像を液晶モニタ２２に再生表示させるモードである。
【００２８】
十字ボタン３４は、上下左右四方向の指示を入力できる操作ボタンとして機能し、メニュー／ＯＫボタン３６が押されることによって液晶モニタ２２に表示されるメニュー画面からメニュー項目の選択や、各メニューにおける各種設定項目の選択に使用される。メニュー／ＯＫボタン３６は、液晶モニタ２２にメニュー画面の表示の指示や選択内容の確定の指示、処理実行の指示などに使用され、バックボタン３８は、メニューから選んだ項目の取消の指示や一つ前の操作状態に戻る際などに使用される。
【００２９】
図３は、複合カメラ１０の内部構造を示す概略図である。同図に示すように、フイルム用撮影レンズ１４とＣＣＤ用撮影レンズ１６は、互いにその光軸が平行になるように配設されている。
【００３０】
フイルム用撮影レンズ１４に入射した被写体光は、フイルム用絞り４０及びシャッタ４１を介して写真フイルム４２に入射する。この写真フイルム４２は、いわゆるブローニーフイルムであり、アパーチャ４４と圧板４６との間を通って下方のフイルム巻取り軸４８Ａから上のフイルム巻取り軸４８Ｂに巻き上げられる。
【００３１】
一方、ＣＣＤ用撮影レンズ１６に入射した被写体光は、ＣＣＤ用絞り５０を解して固体撮像素子（ＣＣＤ）５２の受光面に入射する。このＣＣＤ５２は、アクチュエータ（たとえば、圧電素子等）５４を介してベース５６上に垂直に立設されており、アクチュエータ５４をアクチュエータ駆動部５４Ａを介して駆動することにより、光軸と直交する面内を上下動する。
【００３２】
このフイルム用撮影レンズ１４とＣＣＤ用撮影レンズ１６は、それぞれ写真フイルム４２とＣＣＤ５２に同じ画角で被写体像を写し出すように構成されており、カメラボディ１２の側面に設けられたフォーカスノブ２０を回転操作すると、互いにフォーカスレンズが連動して移動し、同じ位置にピントが合うように調節される。
【００３３】
図４は、複合カメラ１０の内部構成を示したブロック図である。同図において、中央処理装置（ＣＰＵ）５８は、本カメラシステムを統括制御する制御部であり、レリーズボタン１８を含む操作部（電源ボタン３０やモードダイヤル３２、十字ボタン３４等）からの入力信号に基づいて各回路を制御する。
【００３４】
ここで、レリーズボタン１８は、いわゆる「半押し」と「全押し」の二段で構成されており、「半押し」により「Ｓ１オン信号」が発生し、「全押し」により「Ｓ２オン信号」が発生する。  発生したＳ１オン信号とＳ２オン信号は、ＣＰＵ５８に入力され、ＣＰＵ５８は、この信号に基づいてレリーズボタン１８が押されたことを検出する。
【００３５】
さて、カメラ１０のモードを「写真撮影モード」に設定し、カメラ１０を被写体に向けると、ＣＣＤ用撮影レンズ１６から被写体の光学像が入射され、ＣＣＤ用絞り５０を介してＣＣＤ５２の受光面上に結像される。そして、このＣＣＤ５２内の各センサで光の入射光量に応じた量の電荷信号に光電変換される。
【００３６】
ＣＣＤ５２に蓄積された信号電荷は、タイミングジェネレータ６０から加えられる転送パルスによって信号電荷に応じた電圧信号として順次読み出され、相関二重サンプリング回路／増幅器（ＣＤＳ／ＡＧＣ）６２に加えられる。そして、このＣＤＳ／ＡＧＣ６２によって各画素ごとのＲ、Ｇ、Ｂ信号がサンプリングホールドされるとともに増幅され、Ａ／Ｄ変換器６４に加えられる。Ａ／Ｄ変換器６４は、順次入力されるＲ、Ｇ、Ｂ信号をデジタルのＲ、Ｇ、Ｂ信号に変換して画像入力コントローラ６６に出力する。
【００３７】
画像入力コントローラ６６を介して入力されたデジタルの画像信号は、信号処理回路６８にてオフセット処理、ホワイトバランス補正及び感度補正を含むゲインコントロール処理、ガンマ補正処理等の所定の信号処理が施されたのちＶＲＡＭ７０に入力される。ＶＲＡＭ７０には、それぞれ１コマ分の画像データを記憶するＡ領域とＢ領域とが含まれており、このＡ領域とＢ領域に１コマ分の画像データが交互に書き換えられる。そして、このＶＲＡＭ７０のＡ領域とＢ領域から交互に画像データが読み出され、ビデオエンコーダ７２でエンコーディングされて液晶モニタ２２に表示される。
【００３８】
撮影者は、この液晶モニタ２２に映し出された被写体像を確認しながら、カメラボディ１２の側面に備えられたフォーカスノブ２０を回し、フイルム用撮影レンズ１４とＣＣＤ用撮影レンズ１６のピント調節を行なう。そして、このフイルム用撮影レンズ１４とＣＣＤ用撮影レンズ１６のピントが被写体に合ったところで、撮影者がレリーズボタン１８を半押しすると、ＣＰＵ５８にＳ１オン信号が入力され、ＣＰＵ５８は、このＳ１オン信号を検出することにより、最適な露出条件を検出する。
【００３９】
まず、ＣＣＤ５２からＡ／Ｄ変換器６４を介して出力される画像データが、画像入力コントローラ６６を介してＡＥ／ＡＷＢ検出回路７６に入力される。ＡＥ／ＡＷＢ検出回路７６は、撮像領域を６４分割（水平方向８・垂直方向８）して得られる各分割領域ごとにＲ、Ｇ、Ｂの画像データをＲ、Ｇ、Ｂごとに積算し、その各分割領域ごとのＲ、Ｇ、Ｂの積算データをＣＰＵ５８に出力する。ＣＰＵ５８は、このＡＥ／ＡＷＢ検出回路７６から入力された積算データに基づいて被写体の明るさ（撮影Ｅｖ値）を算出し、この撮影Ｅｖ値に基づいて露出条件（絞り値とシャッタースピード）を決定する。
【００４０】
そして、この半押しの状態から撮影者が更にレリーズボタン１８を押し込んで、レリーズボタン１８を全押しすると、ＣＰＵ５８にＳ２オン信号が入力され、ＣＰＵ５８は、このＳ２オン信号を検出することにより、撮影を実行する。
【００４１】
すなわち、ＣＰＵ５８は、レリーズボタン１８からＳ２オン信号を入力すると、決定された絞り値となるように絞り駆動部４０Ａを介してフイルム用絞り４０を駆動制御するとともに、決定されたシャッタースピードとなるようにシャッタ駆動部４１Ａを介してシャッタ４１を駆動制御し、被写体の光学像を写真フイルム４２に露光させる。
【００４２】
これにより、被写体像が写真フイルム４２に撮影される。撮影終了後、撮影者は、カメラボディ１２の側面に備えられたフイルム巻き上げレバー２８を回し、写真フイルム４２を１コマ分巻き上げる。
【００４３】
以上のように、複合カメラ１０のモードが「写真撮影モード」に設定されている場合、写真撮影のみが行われる。
【００４４】
次に、複合カメラ１０のモードが、「デジタル撮影モード」に設定されている場合について説明する。
【００４５】
複合カメラ１０のモードが「デジタル撮影モード」に設定されている場合、レリーズボタン１８を押した後の動作が「写真撮影モード」と相違する。
【００４６】
液晶モニタ２２に映し出された被写体像に基づいてＣＣＤ用撮影レンズ１６のピント調節を行なった後、撮影者がレリーズボタン１８を半押しすると、ＣＰＵ５８にＳ１オン信号が入力される。ＣＰＵ５８は、このＳ１オン信号を検出することにより、最適な露出条件を検出する。
【００４７】
まず、ＣＣＤ５２からＡ／Ｄ変換器６４を介して出力される画像データが、画像入力コントローラ６６を介してＡＥ／ＡＷＢ検出回路７６に入力される。ＡＥ／ＡＷＢ検出回路７６は、撮像領域を６４分割（水平方向８・垂直方向８）して得られる各分割領域ごとにＲ、Ｇ、Ｂの画像データをＲ、Ｇ、Ｂごとに積算し、その各分割領域ごとのＲ、Ｇ、Ｂの積算データをＣＰＵ５８に出力する。ＣＰＵ５８は、このＡＥ／ＡＷＢ検出回路７６から入力された積算データに基づいて被写体の明るさ（撮影Ｅｖ値）を算出し、この撮影Ｅｖ値に基づいて露出条件（絞り値とシャッタースピード）を決定する。
【００４８】
そして、この半押しの状態から撮影者が更にレリーズボタン１８を押し込んで、レリーズボタン１８を全押しすると、ＣＰＵ５８にＳ２オン信号が入力され、ＣＰＵ５８は、このＳ２オン信号を検出することにより、撮影を実行する。
【００４９】
Ｓ２オン信号を入力すると、ＣＰＵ５８は、決定した絞り値となるように絞り駆動部５０Ａを介してＣＣＤ用絞り５０を駆動制御するとともに、決定したシャッタースピードに基づいてタイミングジェネレータ６０を介してＣＣＤ５２での電荷蓄積時間を制御し、１コマ分の画像データを取得する。
【００５０】
ＣＣＤ５２から出力された１コマ分の画像データは、Ａ／Ｄ変換器６４から画像入力コントローラ６６を介してメモリ（ＳＤＲＡＭ）７８に入力され、ここに一時記憶される。そして、このメモリ７８から信号処理回路６８に読み出され、輝度データ及び色差データの生成処理（ＹＣ処理）を含む所定の信号処理が施される。ＹＣ処理後の画像データは、再びメモリ７８に入力され、ここに一時記憶されたのち、圧縮伸張処理回路８０に出力され、ここでＪＰＥＧ等の所定の圧縮処理が施される。そして、再びメモリ７８に出力され、ここに一時記憶されたのち、メモリ７８からメディアコントローラ８２に読み出されてカードスロットに装填されたメモリカード８４に記録される。
【００５１】
以上により撮影が完了する。記録された画像データは、複合カメラ１０のモードを再生モードに設定することでメモリカード８４から読み出され、液晶モニタ２２上に再生表示される。
【００５２】
すなわち、複合カメラ１０が再生モードに設定されると、メモリカード８４に記録された画像データが、メディアコントローラ８２を介してメモリ７８に読み出され、ここに一時記憶されたのち圧縮伸張回路８０に出力されて伸張処理が施される。伸張処理された画像データは、メモリ７８に一時記憶されたのち、ビデオエンコーダ７２に出力され、ここでエンコーディングされて液晶モニタ２２にに再生表示される。
【００５３】
以上のように、複合カメラ１０のモードが「デジタル撮影モード」に設定されている場合、デジタル撮影のみが行なわれる。
【００５４】
次に、複合カメラ１０のモードが、「複合撮影モード」に設定されている場合について説明する。
【００５５】
複合カメラ１０のモードが「複合撮影モード」に設定されている場合、上記の写真撮影とデジタル撮影の両方が同時に行なわれる。
【００５６】
液晶モニタ２２に映し出された被写体像に基づいてＣＣＤ用撮影レンズ１６のピント調節を行なった後、撮影者がレリーズボタン１８を半押しすると、ＣＰＵ５８にＳ１オン信号が入力される。ＣＰＵ５８は、このＳ１オン信号を検出することにより、最適な露出条件を検出する。
【００５７】
まず、ＣＣＤ５２からＡ／Ｄ変換器６４を介して出力される画像データが、画像入力コントローラ６６を介してＡＥ／ＡＷＢ検出回路７６に入力される。ＡＥ／ＡＷＢ検出回路７６は、撮像領域を６４分割（水平方向８・垂直方向８）して得られる各分割領域ごとにＲ、Ｇ、Ｂの画像データをＲ、Ｇ、Ｂごとに積算し、その各分割領域ごとのＲ、Ｇ、Ｂの積算データをＣＰＵ５８に出力する。ＣＰＵ５８は、このＡＥ／ＡＷＢ検出回路７６から入力された積算データに基づいて被写体の明るさ（撮影Ｅｖ値）を算出し、この撮影Ｅｖ値に基づいて露出条件（絞り値とシャッタースピード）を決定する。
【００５８】
そして、この半押しの状態から撮影者が更にレリーズボタン１８を押し込んで、レリーズボタン１８を全押しすると、ＣＰＵ５８にＳ２オン信号が入力され、ＣＰＵ５８は、このＳ２オン信号を検出することにより、撮影を実行する。
【００５９】
すなわち、ＣＰＵ５８はＳ２オン信号を入力すると、決定された絞り値となるように絞り駆動部４０Ａを介してフイルム用絞り４０を駆動制御するとともに、決定されたシャッタースピードとなるようにシャッタ駆動部４１Ａを介してシャッタ４１を駆動制御し、被写体の光学像を写真フイルム４２に露光させる。これにより、被写体像が写真フイルム４２に撮影される。
【００６０】
また、ＣＰＵ５８は、Ｓ２オン信号を入力すると、決定した絞り値となるように絞り駆動部５０Ａを介してＣＣＤ用絞り５０を駆動制御するとともに、決定したシャッタースピードに基づいてタイミングジェネレータ６０を介してＣＣＤ５２での電荷蓄積時間を制御し、１コマ分の画像データを取得する。そして、取得した画像データに対して所要の信号処理を施してメモリカード８４に記録する。これにより、被写体像をメモリカード８４に記録される。
【００６１】
以上により撮影が完了する。この場合、デジタル撮影も同時に行なわれているので、メモリカード８４に記録された画像データは、複合カメラ１０のモードを再生モードに設定することでメモリカード８４から読み出され、液晶モニタ２２上に再生表示される。
【００６２】
以上のように、複合カメラ１０のモードが「複合撮影モード」に設定されている場合、写真撮影とデジタル撮影の両方が同時に行なわれる。
【００６３】
ところで、本実施の形態の複合カメラ１０のように二眼タイプのカメラは、写真フイルム４２に被写体像を導くフイルム用撮影レンズ１４と、ＣＣＤ５２に被写体像を導くＣＣＤ用撮影レンズ１６とが分離されているため、両光学系の間にパララックスが発生するという問題がある。
【００６４】
そこで、本実施の形態の複合カメラ１０では、被写体までの距離（撮影距離）に応じてＣＣＤ５２をアクチュエータ５４によって上下動させることによりパララックスを自動補正する。
【００６５】
ここで、撮影距離の検出は、フォーカスノブ２０の回転量から検出する。すなわち、フォーカスノブ２０には、エンコーダ９０が取り付けられており、ＣＰＵ５８は、このエンコーダ９０から出力されるフォーカスノブ２０の回転量の情報に基づいて撮影距離を検出する。
【００６６】
また、ＲＯＭ９２には、撮影距離に応じたＣＣＤ５２の移動量の情報が記憶されている。すなわち、撮影距離に応じて生じるパララックスを補正するために必要なＣＣＤ５２の移動量の情報が撮影距離に応じて記憶されている。
【００６７】
ＣＰＵ５８は、フォーカスノブ２０が回転されて撮影距離が変更されると、その撮影距離に応じてＲＯＭ９２からパララックスを補正するために必要なＣＣＤ５２の移動量の情報を取得する。そして、その取得した移動量に基づいてアクチュエータ駆動部５４Ａに駆動信号を出力し、アクチュエータ５４を駆動してＣＣＤ５２を移動させ、パララックスを補正する。
【００６８】
このように、本実施の形態の複合カメラ１０では、撮影距離に応じてＣＣＤ５２が自動的に移動し、パララックスを補正する。これにより、写真撮影される領域とデジタル撮影される領域とが常に一致する。
【００６９】
また、このようにＣＣＤ５２を移動させてパララックスを補正することにより、従来のように画像読み出し領域の設定等の複雑な制御が不要になり、簡単かつ正確にパララックスを補正することができる。また、ＣＣＤ５２の全画素を有効に利用して撮影することができる。
【００７０】
なお、本実施の形態では、フォーカスノブ２０の回転量の情報に基づいて撮影距離を検出しているが、フイルム用撮影レンズ１４又はＣＣＤ用撮影レンズ１６のフォーカスレンズの移動量を検出し、これに基づいて撮影距離を検出してもよいし、また、フイルム用撮影レンズ１４又はＣＣＤ用撮影レンズ１６の回転筒の回転量を検出し、これに基づいて撮影距離を検出してもよい。
【００７１】
図５は、本発明に係る複合カメラの第２の実施の形態の内部構成を示したブロック図である。なお、上述した第１の実施の形態の複合カメラと同じ構成要素には同一符号が付されている。
【００７２】
上述した第１の実施の形態の複合カメラ１０では、ピント合わせを手動で行なうように構成されていたが（いわゆる、マニュアルフォーカス）、本実施の形態の複合カメラ１００では、ピント合わせを自動で行なう（いわゆる、オートフォーカス）。このピントの自動調節は、次のように行われる。
【００７３】
レリーズボタン１８が半押しされると、ＣＣＤ５２からＡ／Ｄ変換器６４を介して出力される画像データが、画像入力コントローラ６６を介してＡＦ検出回路７４に入力される。ＡＦ検出回路７４は、入力された画像データに基づいて画像のコントラスト情報をＣＰＵ５８に出力する。そして、ＣＰＵ５８は、ＡＦ検出回路７４から入力されたコントラスト情報に基づいてレンズ駆動部１４Ａ、１６Ａに駆動信号を出力し、被写体にピントが合うようにフイルム用撮影レンズ１４及びＣＣＤ用撮影レンズ１６のフォーカスレンズを移動させる。これにより、被写体にピントが合わせられる。
【００７４】
ここで、このフイルム用撮影レンズ１４には、フォーカスレンズの位置を検出する位置センサ１０２が設けられており、ＣＰＵ５８は、この位置センサ１０２で検出されたフォーカスレンズの位置情報に基づいて撮影距離を検出する。そして、その検出した撮影距離に基づいてＲＯＭ９２からパララックスを補正するために必要なＣＣＤ５２の移動量の情報を取得する。そして、取得した移動量の情報に基づいてアクチュエータ駆動部５４Ａに駆動信号を出力し、アクチュエータ５４を駆動してＣＣＤ５２を移動させ、パララックスを補正する。
【００７５】
これにより、自動ピント調節と同時にパララックスが自動補正され、常に写真撮影される領域とデジタル撮影される領域とが一致する。
【００７６】
なお、本実施の形態の複合カメラ１００は、ピント合わせを自動で行なうように構成されているが、切換スイッチ等によりオートフォーカスとマニュアルフォーカスとを切り替えられるように構成してもよい。
【００７７】
また、本実施の形態の複合カメラ１００では、フォーカスレンズの位置情報に基づいて撮影距離を検出しているが、オートフォーカスセンサ（ＡＦセンサ）を設置し、このＡＦセンサの測距情報に基づいてパララックスを補正するようにしてもよい。
【００７８】
また、本実施の形態の複合カメラ１０、１００では、ＣＣＤ５２を移動させるアクチュエータとして圧電素子を例示しているが、ＣＣＤ５２を光軸と直交する面内で移動（微小移動）させることができる構成のものであれば、これに限定されるものではない。
【００７９】
さらに、本実施の形態の複合カメラ１０、１００では、フイルム用撮影レンズ１４とＣＣＤ用撮影レンズ１６をカメラボディ１２の前面に上下に並べて配置しているが、配置方法は、これに限定されるものではない。たとえば、横方向に並べて配置してもよい。この場合、パララックスを補正できる方向にＣＣＤ５２を移動させる。
【００８０】
【発明の効果】
以上説明したように、本発明によれば、被写体までの距離に基づいて撮像素子を移動させることにより、第１光学系と第２光学系とのパララックスを補正するので、写真フイルムに結像される被写体像と撮像素子の受光面に結像する被写体像とが常に一致する。
【図面の簡単な説明】
【図１】本発明に係る複合カメラの一実施形態を示す正面斜視図
【図２】本発明に係るカメラの一実施形態を示す背面斜視図
【図３】複合カメラの内部構造を示す概略図
【図４】複合カメラの内部構成を示すブロック図
【図５】複合カメラの他の実施の形態の内部構成を示すブロック図
【符号の説明】
１０…複合カメラ、１２…カメラボディ、１４…フイルム用撮影レンズ、１６…ＣＣＤ用撮影レンズ、１８…レリーズボタン、２０…フォーカスノブ、２２…液晶モニタ、２４…ファインダーフード、２６…裏蓋、２８…フイルム巻き上げレバー、３０…電源ボタン、３２…モードダイヤル、３４…十字ボタン、３６…メニュー／ＯＫボタン、３８…バックボタン、４０…フイルム用絞り、４０Ａ…絞り駆動部、４１…シャッタ、４１Ａ…シャッタ駆動部、４２…写真フイルム、４４…アパーチャ、４６…圧板、４８Ａ、４８Ｂ…フイルム巻取り軸、５０…ＣＣＤ用絞り、５０Ａ…絞り駆動部、５２…ＣＣＤ、５４…アクチュエータ、５４Ａ…アクチュエータ駆動部、５６…ベース、５８…中央処理装置（ＣＰＵ）、６０…タイミングジェネレータ、６２…相関二重サンプリング回路／増幅器（ＣＤＳ／ＡＧＣ）、６４…Ａ／Ｄ変換器、６６…画像入力コントローラ、６８…信号処理回路、７０…ＶＲＡＭ、７２…ビデオエンコーダ、７４…ＡＦ検出回路、７６…ＡＥ／ＡＷＢ検出回路、７８…メモリ  （ＳＤＲＡＭ）、８０…圧縮伸張処理回路、８２…メディアコントローラ、８４…メモリカード、９０…エンコーダ、９２…ＲＯＭ、１００…複合カメラ、１０２…位置センサ
【図１】
2004163711.tif 000003
【図２】
2004163711.tif 000004
【図３】
2004163711.tif 000005
【図４】
2004163711.tif 000006
【図５】
2004163711.tif 000007